(57)【要約】【課題】  ＬＡＮケーブルや電話線などの各特性を利用して、電話用モジュラープラグがＬＡＮ用モジュラージャックに誤挿入されることを防止する。【解決手段】  本体ケース２２と、本体ケース２２の前側で本体ケース２２の差込み口２１に連通した空洞２４を形成する空洞形成部材２３とを有する。本体ケース２２の差込み口２１の位置を、空洞形成部材２３の高さ方向中央位置よりも上方に偏らせる。本体ケース２２を、空洞形成部材２３に対して後上がりの傾斜姿勢で設置する。空洞形成部材２３の前側開口２５の大きさを、手指が入らないサイズに定める。空洞２４の奥行は、電話用モジュラープラグ５０を手指でつかんで差込み口２１に届かせることのできない長さ寸法を有する。【選択図】        図４
2010225538.tif 000002
【特許請求の範囲】
【請求項１】
電話線に接続された電話用モジュラープラグを挿入可能で、かつ、ＬＡＮケーブルに接続された相手方コネクタとしてのＬＡＮ用モジュラープラグが差し込まれる本体ケースを有するＬＡＮ用モジュラージャックにおいて、
上記本体ケースの前側でその本体ケースの差込み口に連通して上記ＬＡＮ用モジュラープラグを挿入可能な広さの空洞を形成し、かつ、前面で開口した空洞形成部材が付加され、
本体ケースの上記差込み口の位置が、上記空洞形成部材の下壁面から離れた箇所に定められ、
上記空洞形成部材は、上記前側開口の大きさが、上記電話線ないし電話用モジュラープラグをつかんだ手指が入りきらないサイズに定められ、上記空洞の奥行が、上記電話用モジュラープラグを手指でつかんで上記差込み口に届かせることのできない長さ寸法を有することを特徴とするＬＡＮ用モジュラージャック。
【請求項２】
上記空洞の奥行が、上記ＬＡＮ用モジュラープラグの長さよりも長い長さ寸法を有する請求項１に記載したＬＡＮ用モジュラージャック。
【請求項３】
上記空洞形成部材が上記空洞の奥行方向に長い箱形に形成されていて、本体ケースの上記差込み口の位置が、上記空洞形成部材の高さ方向中央位置よりも上方に偏った箇所に定められている請求項１又は請求項２に記載したＬＡＮ用モジュラージャック。
【請求項４】
上記本体ケースが箱形に形成されていて、その本体ケースが、上記空洞形成部材に対して後上がり勾配を有する傾斜姿勢で設置されている請求項３に記載したＬＡＮ用モジュラージャック。
【請求項５】
上記空洞形成部材が、テレビジョン受像機のリアパネルに形成した凹入部によって代用されている請求項１ないし請求項４のいずれか１項に記載したＬＡＮ用モジュラージャック。
【発明の詳細な説明】
【技術分野】
【０００１】
本発明は、ＬＡＮケーブに接続して使用されるＬＡＮ用モジュラージャック、特に、電話線に接続された電話用モジュラージャックが誤挿入されることを防止する機能を備えたＬＡＮ用モジュラージャックに関する。
【背景技術】
【０００２】
図６（Ａ）は汎用されているＬＡＮ用モジュラープラグ１０の概略斜視図であり、同図（Ｂ）はＬＡＮ用モジュラープラグ１０の相手方コネクタとしてのＬＡＮ用モジュラージャックの差込み口２１の正面視形状を示した説明図である。また、図７（Ａ）は汎用されている電話用モジュラープラグ５０の概略斜視図であり、同（Ｂ）は電話用モジュラープラグ５０の相手方コネクタとしての電話用モジュラージャックの差込み口６１の正面視形状を示した説明図である。
【０００３】
図６（Ａ）のように、ＬＡＮ用モジュラープラグ１０は前後に長い略直方体形状に形作られていて、ＬＡＮケーブル３０に接続して使用される。このＬＡＮ用モジュラープラグ１０には、後述するＬＡＮ用モジュラージャックに差し込まれた状態でそのＬＡＮ用モジュラージャック側の係止部に係合される抜止め用係止部１１と、この抜止め用係止部１１をＬＡＮ用モジュラージャック側の上記係止部から離脱させるためのロック解除爪１２とが備わっている。また、ＬＡＮ用モジュラープラグ１０は、図に現れていない多極端子を有している。
【０００４】
これに対し、図７（Ａ）のように、電話用モジュラープラグ５０は前後に長い略直方体形状に形作られていて、電話線７０に接続して使用される。この電話用モジュラープラグ５０には、電話用モジュラージャックに差し込まれた状態でその電話用モジュラージャック側の係止部に係合される抜止め用係止部５１と、この抜止め用係止部５１を電話用モジュラージャック側の上記係止部から離脱させるためのロック解除爪５２とが備わっている。また、電話用モジュラープラグ５０は、図に現れていない多極端子を有している。
【０００５】
図６（Ａ）及び図７（Ａ）を併せ見ることによって明らかなように、ＬＡＮ用モジュラープラグ１０と電話用モジュラープラグ５０とはその構成が酷似しているけれども、両者はサイズが相違している。具体的には、図６（Ａ）及び図７（Ａ）において、ＬＡＮ用モジュラープラグ１０の厚さ、横幅をそれぞれＴ１，Ｗ１で表し、電話用モジュラープラグ５０の厚さ、横幅をそれぞれＴ２，Ｗ２で表すと、横幅はＬＡＮ用モジュラープラグ１０が広くて、Ｗ１＞Ｗ２になっているけれども、厚さＴ１，Ｔ２は両者で同等又はほゞ同等である。
【０００６】
また、図６（Ｂ）及び図７（Ｂ）を併せ見ることによって判るように、ＬＡＮ用モジュラージャックの差込み口２１と電話用モジュラージャックの差込み口６１とは、その形状が酷似しているけれども、両者はサイズが相違している。具体的には、ＬＡＮ用モジュラージャックの差込み口２１の横幅Ｗ３が電話用モジュラージャックの差込み口６１の横幅Ｗ４よりも広くて、Ｗ３＞Ｗ４になっているけれども、それらの高さＨ３，Ｈ４は両者で同等又はほゞ同等である。これは、それぞれの差込み口２１，６１を有するモジュラージャックの相手方コネクタが、ＬＡＮ用モジュラープラグ１０であるか、電話用モジュラープラグ５０であるかに準拠していることによる。このことから、ＬＡＮ用モジュラージャックの差込み口２１に電話用モジュラープラグ５０を誤挿入してしまう可能性が生じる。
【０００７】
図５は電気電子機器、たとえば液晶型テレビジョン受像機１００の概略側面図である。このテレビジョン受像機１００では、リアパネル１１０の側面でＬＡＮ用モジュラージャックの差込み口２１が開口している。このような形態では、図６（Ｂ）及び図７（Ｂ）を参照して説明したように、ＬＡＮ用モジュラージャックと電話用モジュラージャックとの相互間でそれらの差込み口２１，６１の形状が酷似していて、ユーザにとって両者を見分けることが容易でなく、しかも、ＬＡＮ用モジュラージャックの差込み口２１に電話用モジュラープラグ５０を挿入可能であるために、電話用モジュラープラグ５０を誤ってテレビジョン受像機１００のＬＡＮ用モジュラージャックに差し込んでしまうという事態が起こり得る。
【０００８】
テレビジョン受像機やその他の電気電子機器のパネルの１箇所で、ＬＡＮ用モジュラージャック及び電話用モジュラージャックの各差込み口が混在して開口しているような場合にも同様の事態が起こり得る。
【０００９】
一方、コネクタと、その相手方部材としてのコネクタ受けを収容したケースと、の関係において、ケースに全体を収容させたコネクタをコネクタ受けで係止して抜け止めするようにした接続コネクタ装置が公知である（たとえば、特許文献１参照）。
【００１０】
また、ＬＡＮ用ジャック部の内部空間に、誤挿入された電話用プラグを受け止める爪片を設けることによって、ＬＡＮ用ジャック部への電話用プラグの誤挿入を防止することも知られている（たとえば、特許文献２参照）。さらに、ＴＶ受像機の筐体に、サイズの異なる２種類のモジュラージャックの開口形状を呈する第１穴部と第２穴部とを設けておき、これらの穴部の形状を見分けることによってモジュラージャックへのモジュラープラグの誤挿入を防止することが提案されている（たとえば、特許文献３参照）。
【００１１】
そのほか、複数種類のモジュラープラグのいずれをも着脱することのできる混成モジュラーコネクタについての研究も行われている（たとえば、特許文献４参照）。
【００１２】
一方、上記から判るように、汎用的なＬＡＮ用モジュラープラグ１０は、汎用的な電話用モジュラープラグ５０よりもサイズが大形で、重量は電話用モジュラープラグ５０よりも重い。しかも、極数は、ＬＡＮ用モジュラープラグ１０の方が電話用モジュラープラグ５０よりも多い。そのため、一般的には、ＬＡＮケーブル３０は、電話線７０よりも太くて腰（曲り剛性）が強くなっている。
【先行技術文献】
【特許文献】
【００１３】
【特許文献１】実開昭６１−１０４９８９号公報
【特許文献２】特開２００６−２２８４４９号公報
【特許文献３】特開２００８−１８１７３６号公報
【特許文献４】特開２００７−１９３９６９号公報
【発明の概要】
【発明が解決しようとする課題】
【００１４】
しかしながら、テレビジョン受像機などの電気電子機器にＬＡＮ用モジュラージャックを設置する場合に、そのＬＡＮ用モジュラージャックに電話用モジュラープラグが誤挿入されてしまうと、ジャック側又はプラグ側の端子を損傷することがあり、場合によっては電気電子機器に採用されている電子回路の損傷を引き起こすこともある。
【００１５】
この点を改善するために、特許文献２のように、ＬＡＮ用ジャックの内部空間に誤挿入された電話用プラグを受け止める爪片を設ける、ということ有益であるとも考えられる。しかし、そのようにすると、ＬＡＮ用ジャック自体の構成が複雑になってコスト高をきたしやすい。
【００１６】
そこで、本願発明者は、ＬＡＮケーブルが電話線よりも太くて腰が強いために、ＬＡＮケーブルを手指でつかんでＬＡＮ用モジュラープラグを持ち上げても、ＬＡＮケーブルがＬＡＮ用モジュラープラグの重さによっては垂れ下がりにくいという特性を有しているのに対し、電話線は細くて腰が弱いために、電話線を手指でつかんで電話用モジュラープラグを持ち上げようとしても、電話線が電話用モジュラープラグの重さによって垂れ下がってしまって容易に持ち上げられないという特性を有していることに着目して本発明をなすに至った。
【００１７】
すなわち、本発明は、相手方コネクタとしてのＬＡＮ用モジュラープラグが差し込まれる本体ケースを有するＬＡＮ用モジュラージャックにおいて、本体ケースの内部空間に特許文献２に見られる爪片などの余分な部品を設けることなく、上記したＬＡＮケーブルや電話線などの各特性を巧みに利用して、電話用モジュラープラグが誤挿入されることを防止することのできるＬＡＮ用モジュラージャックを提供することを目的とする。
【課題を解決するための手段】
【００１８】
本発明に係るＬＡＮ用モジュラージャックは、電話線に接続された電話用モジュラープラグを挿入可能で、かつ、ＬＡＮケーブルに接続された相手方コネクタとしてのＬＡＮ用モジュラープラグが差し込まれる本体ケースを有する。そして、上記本体ケースの前側でその本体ケースの差込み口に連通して上記ＬＡＮ用モジュラープラグを挿入可能な広さの空洞を形成し、かつ、前面で開口した空洞形成部材が付加されている。また、本体ケースの上記差込み口の位置が、上記空洞形成部材の下壁面から離れた箇所に定められている。さらに、上記空洞形成部材は、上記前側開口の大きさが、上記電話線ないし電話用モジュラープラグをつかんだ手指が入りきらないサイズに定められ、上記空洞の奥行が、上記電話用モジュラープラグを手指でつかんで上記差込み口に届かせることのできない長さ寸法を有している。
【００１９】
この構成を備えるＬＡＮ用モジュラージャックによると、空洞形成部材の前側開口の大きさが、電話線ないし電話用モジュラープラグをつかんだ手指が入りきらないサイズに定められていて、空洞の奥行が、電話用モジュラープラグを手指でつかんで差込み口に届かせることのできない長さ寸法を有していることにより、電話線を手指でつかんだ状態であっても、電話用モジュラープラグを手指でつかんだ状態であっても、電話用モジュラープラグを差込み口に差し込むことはできない。また、電話用モジュラープラグから離れた箇所で電話線を手指でつかんで、空洞形成部材の外側からの操作で電話用モジュラープラグを差込み口に差し込もうとしても、空洞の中では、電話用モジュラープラグの重さによって電話線が垂れ下がるために、空洞形成部材の下壁面から離れた箇所に位置している差込み口の口縁などに電話用モジュラープラグが衝突してしまって、その電話用モジュラープラグが差込み口に入らなくなる。したがって、ＬＡＮ用モジュラージャックに電話用モジュラープラグが誤挿入されるという事態が起こりにくくなる。
【００２０】
一方、ＬＡＮケーブルは、ＬＡＮ用モジュラープラグの重さによって垂れ下がりにくい特性を有していることにより、ＬＡＮ用モジュラープラグを上記差込み口に差し込む操作は、ＬＡＮケーブルを手指でつかんで空洞形成部材の外側から容易に行うことができる。また、空洞の奥行の長さがＬＡＮ用モジュラープラグの長さよりも短くなっていると、電話用モジュラープラグよりも長いＬＡＮ用モジュラープラグを手指でつかんで差込み口に差し込むことを、空洞形成部材の外側からの操作で容易に行うことができる。
【００２１】
本発明では、上記空洞の奥行が、上記ＬＡＮ用モジュラープラグの長さよりも長い寸法を有していてもよい。この構成であると、電話線を手指でつかんで空洞の外側からの操作で電話用モジュラープラグを差込み口に差し込もうとした場合に、電話用モジュラープラグから電話線を手指でつかむ位置までの長さがより長くなるので、空洞の中で電話用モジュラープラグの重さによって電話線がいっそう垂れ下がりやすくなる。そのため、差込み口の口縁などに電話用モジュラープラグがより確実に衝突することになって、誤挿入をいっそう確実に防止することが可能になる。なお、このものにおいても、ＬＡＮ用モジュラープラグを上記差込み口に差し込む操作は、ＬＡＮケーブルを手指でつかんで空洞形成部材の外側から容易に行うことができる。
【００２２】
本発明では、上記空洞形成部材が上記空洞の奥行方向に長い箱形に形成されていて、本体ケースの上記差込み口の位置が、上記空洞形成部材の高さ方向中央位置よりも上方に偏った箇所に定められていることが望ましい。これによると、空洞の中で垂れ下がった電話線に接続されている電話用モジュラープラグが、差込み口の口縁などにより確実に衝突することになる。したがって、電話用モジュラープラグが誤挿入されるという事態がさらに確実に防止される。
【００２３】
本発明では、上記本体ケースが箱形に形成されていて、その本体ケースが、上記空洞形成部材に対して後上がり勾配を有する傾斜姿勢で設置されていることが望ましい。この構成であると、仮に電話用モジュラープラグの先端が差込み口に差し込まれたときに、電話線を手指でつかんで空洞の外側からの操作で押し込んだとしても、電話線は腰が弱くて柔軟であり、しかも、本体ケースが後上がり勾配を有する傾斜姿勢で設置されていることにより電話線が腰折れしやすい。そのため、電話線で後押しして電話用モジュラープラグを本体ケースに押し込むことが困難になる。その結果、誤挿入が防止されたり、ユーザが誤挿入の事実を認識しやすくなったりするという利点がある。
【００２４】
本発明では、上記空洞形成部材が、テレビジョン受像機のリアパネルに形成した凹入部によって代用されているものであってもよい。
【発明の効果】
【００２５】
以上のように、本発明によると、ＬＡＮケーブルや電話線などの特性を巧みに利用して、電話用モジュラープラグが誤挿入されることを防止する構成を採用したので、本体ケースの内部空間に余分な部品を設けたりする必要がない。したがって、電話用モジュラープラグの誤挿入を防止する機能を備えたＬＡＮ用モジュラージャックを安価に提供することが可能になる。
【００２６】
また、本発明は、本体ケースの前側でその本体ケースの差込み口に連通した空洞を形成する空洞形成部材を付加したり、本体ケースの設置高さや設置姿勢に工夫を講じたりしたものである。そして、上記空洞形成部材は、テレビジョン受像機のリアパネルに形成した凹入部によって代用することも可能であり、本体ケースの設置高さや設置姿勢は、その凹入部に対して適正に定めることが可能である。そのため、本体ケースとして、従来の汎用的なＬＡＮ用モジュラージャックそのものをそのまま用いることが可能になるという利点もある。
【図面の簡単な説明】
【００２７】
【図１】本発明に係るＬＡＮ用モジュラージャックの構成を示した概略縦断面図である。
【図２】図１のＬＡＮ用モジュラージャックの構成を拡大して示した概略正面図である。
【図３】（Ａ）はＬＡＮ用モジュラージャックにＬＡＮ用モジュラープラグを差し込む操作の初期段階、（Ｂ）は同操作の中間段階をそれぞれ示した説明図である。
【図４】（Ａ）はＬＡＮ用モジュラージャックに電話用モジュラープラグが誤挿入されようとしている操作の初期段階、（Ｂ）は同操作の中間段階をそれぞれ示した説明図である。
【図５】ＬＡＮ用モジュラージャックを備えたテレビジョン受像機の概略側面図である。
【図６】（Ａ）は汎用的なＬＡＮ用モジュラープラグの概略斜視図、（Ｂ）はＬＡＮ用モジュラージャックの差込み口の正面視形状を示した説明図である。
【図７】（Ａ）は汎用的な電話用モジュラープラグの概略斜視図、（Ｂ）は電話用モジュラージャックの差込み口の正面視形状を示した説明図である。
【発明を実施するための形態】
【００２８】
図１は本発明に係るＬＡＮ用モジュラージャック２０の構成を示した概略縦断面図である。図２は上記ＬＡＮ用モジュラージャック２０の構成を示した概略正面図である。
【００２９】
図示のＬＡＮ用モジュラージャック２０の相手方コネクタは、図６（Ａ）を参照して説明したＬＡＮ用モジュラープラグ１０である。
【００３０】
このＬＡＮ用モジュラージャック２０は、図６（Ａ）のＬＡＮ用モジュラープラグ１０が差し込まれる箱形の本体ケース２２と、この本体ケース２２に付加された箱形の空洞形成部材２３とを有している。本体ケース２２は、その内部にＬＡＮ用モジュラープラグ１０に対応する多極端子を有しているほか、ＬＡＮ用モジュラープラグ１０の抜止め用係止部１１を係止するための係止部などを備えている。この本体ケース２２には、汎用的な従来市販のＬＡＮ用モジュラージャックをそのまま使用することができる。空洞形成部材２３は、本体ケース２２の前側でその本体ケース２２の差込み口２１に連通する空洞２４を形成していて、その前面開口２５が図２のように矩形に形成されている。空洞２４は、図６（Ａ）のＬＡＮ用モジュラープラグ１０を挿入可能な広さを有している。さらに、図１及び図２によって判るように、上記前面開口２５は本体ケースの差込み口２１よりも広くなっていることに加えて、本体ケース２２の差込み口２１は、その位置が、空洞形成部材２３の下壁面２６から間隔Ｓだけ上方に離れた箇所に定められている。
【００３１】
空洞形成部材２３の前面開口２５は、図７（Ａ）に示した電話線７０ないし電話用モジュラープラグ５０をつかんだ手指が入りきらないサイズに定められている。また、空洞２４の奥行Ｄが、ＬＡＮ用モジュラープラグ１０の長さＬ１（図６（Ａ）参照、以下同じ）よりも長い寸法を有している。
【００３２】
したがって、電話用モジュラープラグ５０の長さＬ２（図７（Ａ）参照、以下同じ）は、ＬＡＮ用モジュラープラグ１０の長さＬ１よりも短く、しかも、電話用モジュラープラグ５０を手指でつかんだ状態では、その手指が空洞形成部材２４の前面開口２５から空洞２４の中に一部は入っても十分には入らない。そのため、電話用モジュラープラグ５０を手指でつかんで、空洞形成部材２３の外側からの操作で電話用モジュラープラグ５０を差込み口２１に届かせることはできない。このことから、空洞形成部材２３の外側からの操作で、電話用モジュラープラグ５０を手指でつかんで本体ケース２２に挿入することができなくなり、電話用モジュラープラグ５０を手指でつかんだ状態での誤挿入が防止される。
【００３３】
また、仮に空洞２４の奥行ＤがＬＡＮ用モジュラープラグ１０の長さＬ１よりも短くても、空洞２４の奥行Ｄを電話用モジュラープラグ５０を手指でつかんで差込み口２１に届かせることのできない長さ寸法に定めることは可能である。したがって、空洞２４の奥行Ｄを、そのような長さ寸法に定めておいても、電話用モジュラープラグ５０を手指でつかんだ状態での誤挿入が防止される。
【００３４】
なお、空洞２４の奥行ＤがＬＡＮ用モジュラープラグ１０の長さＬ１よりも短い場合、ＬＡＮ用モジュラープラグ１０については、それを手指でつかんで空洞形成部材２３の外側からケース本体２２の差込み口に届かせることが可能である。したがって、ＬＡＮ用モジュラープラグ１０をケース本体２３に挿入することは支障なく行うことができる。
【００３５】
図３（Ａ）には、空洞形成部材２３の外側からの操作で、ＬＡＮ用モジュラージャック２０にＬＡＮ用モジュラープラグ１０を差し込もうとしている操作の初期段階を示し、同図（Ｂ）には同操作の中間段階を示している。
【００３６】
図３のように空洞２４の奥行ＤがＬＡＮ用モジュラープラグ１０の長さＬ１よりも長い場合に、ＬＡＮ用モジュラープラグ１０を本体ケース２３に挿入する操作は、ＬＡＮケーブル３０を手指でつかんで空洞形成部材２３の外側から操作する。すなわち、ＬＡＮケーブル３０は、ＬＡＮ用モジュラープラグ１０の重さによって垂れ下がりにくい特性を有しているので、仮に符号Ｈで示した箇所でＬＡＮケーブル３０を手指でつかんだ状態で、ＬＡＮ用モジュラープラグ１０を空洞形成部材２３の前面開口２５を通して空洞２４に矢印Ａのように挿入し、ＬＡＮケーブル３０を使ってＬＡＮ用モジュラープラグ１０を空洞形成部材２３の下壁面２６から上方へ持ち上げたまま、同図（Ｂ）の矢印Ｂのようにその先端を本体ケース２２の差込み口２１に差し込み、続いて、ＬＡＮケーブル３０をさらに矢印Ｂのように押し込む。このようにすると、ＬＡＮ用モジュラープラグ１０がＬＡＮケーブル３０により後押しされて本体ケース２２に差し込まれる。空洞２４の奥行ＤがＬＡＮ用モジュラープラグ１０の長さＬ１よりも短い場合にも、同様の操作を行うことが可能である。したがって、空洞２４の奥行ＤがＬＡＮ用モジュラープラグ１０の長さＬ１よりも長くても短くても、ＬＡＮ用モジュラープラグ１０については、本体ケース２２への差込み操作を、空洞の外側から容易に行うことができる。
【００３７】
図４（Ａ）には、空洞形成部材２３の外側からの操作で、ＬＡＮ用モジュラージャック２０に電話用モジュラープラグ５０が誤挿入されてようとしている操作の初期段階を示し、同図（Ｂ）には同操作の中間段階を示している。
【００３８】
図４のように空洞２４の奥行Ｄは電話用モジュラープラグ５０の長さＬ２よりも長い。この場合に、電話用モジュラープラグ５０を本体ケース２３に挿入しようとする操作は、電話線７０を手指でつかんで空洞形成部材２３の外側から操作せざるを得ない。しかし、電話線７０は、電話用モジュラープラグ５０の重さによって垂れ下がる特性を有しているので、仮に符号Ｈで示した箇所で電話線７０を手指でつかんだ状態で、図４（Ａ）ように電話用モジュラープラグ５０を空洞形成部材２３の前面開口２５を通して空洞２４に矢印Ａのように挿入すると、電話用モジュラープラグ５０が空洞２４内で下方へ垂れ下がる。そのため、同図（Ｂ）の矢印Ｂのように電話線７０を使って電話用モジュラープラグ５０を後押しすると、電話用モジュラープラグ５０が、本体ケース２２の差込み口２１の口縁２７に衝突して差込み口２１の中には差し込まれない。また、電話線７０を使って電話用モジュラープラグ５０を持ち上げて差込み口２１に差し込もうとしても、電話線７０は柔軟性に富んでいるので、電話用モジュラープラグ５０を容易に持ち上げることができない。したがって、電話用モジュラープラグ５０については、本体ケース２２への差込み操作を、空洞の外側から行うことができなくなり、誤挿入が未然に防止される。特に、空洞２４の奥行Ｄが、ＬＡＮ用モジュラープラグ１０の長さよりも長い寸法を有していると、電話用モジュラープラグ５０から電話線７０を手指でつかむ位置（符号Ｈで示した位置）までの長さがより長くなるので、空洞２４の中で電話用モジュラープラグ５０の重さによって電話線７０がいっそう垂れ下がりやすくなる。そのため、差込み口２１の口縁２７などに電話用モジュラープラグ５０がより確実に衝突することになって、電話用モジュラープラグ５０が誤挿入されるという事態をいっそう確実に防止することが可能になる。
【００３９】
図１〜図４に示したように、この実施形態では、空洞形成部材２３が空洞２４の奥行方向に長い箱形に形成されていて、本体ケース２２の差込み口２１の位置（図２に一点鎖線Ｔで示した位置）が、空洞形成部材２３の高さ方向中央位置（図１及び図２に一点鎖線Ｌで示してある）よりも上方に偏った箇所に定められている。この構成を採用しておくと、図４（Ａ）（Ｂ）のように空洞２４の中で垂れ下がった電話線７０に接続されている電話用モジュラープラグ５０を、その電話線７０を使って差込み口２１の高さにまで持ち上げにくくなる。そのため、差込み口２１の口縁２７などに、電話用モジュラープラグ５０を、より確実に衝突させることができるようになり、誤挿入がさらに確実に防止されるという利点がある。
【００４０】
図１、図３及び図４に示したように、さらにこの実施形態では、本体ケース２２が、空洞形成部材２３に対して後上がり勾配θを有する傾斜姿勢で設置されている。このため、仮に電話用モジュラープラグ５０の先端が差込み口２１に差し込まれたとしても、電話線７０を手指でつかんで空洞２４の外側からの操作で押し込んだときに、電話線７０は腰が弱くて柔軟であり、しかも、本体ケース２２が後上がり勾配θを有する傾斜姿勢で設置されていることにより、電話線７０が腰折れして電話用モジュラープラグ５０を本体ケース２２に押し込むことが困難になる。その結果、誤挿入が防止されると同時に、ユーザが誤挿入の事実を認識しやすくなるという利点がある。
【００４１】
上記実施形態において、本体ケース２２には、汎用的な従来市販のＬＡＮ用モジュラージャックがそのまま使用されている。また、空洞形成部材２３には、箱形の中空樹脂成形体を使用することができるほか、図５に示したテレビジョン受像機１００のリアパネル１１０で代用することも可能である。テレビジョン受像機１００のリアパネル１１０を空洞形成部材２３の代用とするときには、リアパネル１１０に凹入部を形成し、その凹入部を空洞形成部材２３の空洞２４として利用する。
【符号の説明】
【００４２】
１０  ＬＡＮ用モジュラープラグ
２０  ＬＡＮ用モジュラージャック
２１  本体ケースの差込み口
２２  本体ケース
２３  空洞形成部材
２４  空洞
２５  前側開口
２６  空洞形成部材の下壁面
３０  ＬＡＮケーブル
５０  電話用モジュラープラグ
７０  電話線
１１０  テレビジョン受像機のリアパネル
Ｄ  空洞の奥行
Ｌ１  ＬＡＮ用モジュラープラグの長さ
Ｐ  空洞形成部材の高さ方向中央位置
θ  後上がり勾配
【図１】
2010225538.tif 000003
【図２】
2010225538.tif 000004
【図３】
2010225538.tif 000005
【図４】
2010225538.tif 000006
【図５】
2010225538.tif 000007
【図６】
2010225538.tif 000008
【図７】
2010225538.tif 000009